(57)【要約】      （修正有）【課題】視認性を向上させ得る内部照明式標識装置を提供する。【解決手段】内部照明式標識装置は、標識パネル５と、標識パネル５を後方から照射する照明部と、を備える。標識パネル５は、プリズム層２２と、プリズム層２２の後方側の界面に配置される空気層２３と、プリズム層２２の前方側に配置されると共に、所定の形状を有する光透過性の第１着色表示層１１と、空気層２３の後方側に配置されると共に、第１着色表示層１１と同一視可能な形状を有する光透過性の第２着色表示層４１と、を備える。第２着色表示層４１は、標識パネル５を前方から正面視した場合において、第１着色表示層１１と重なる位置に配置される。【選択図】図２
2015055797.tif 000002
【特許請求の範囲】
【請求項１】
標識パネルと、前記標識パネルの後方から前記標識パネルを照射する照明部と、を備える内部照明式標識装置において、
前記標識パネルは、
プリズム層と、
前記プリズム層の後方側の界面に配置される空気層と、
前記プリズム層の前方側に配置されると共に、所定の形状を有する光透過性の第１着色表示層と、
前記空気層の後方側に配置されると共に、前記第１着色表示層と同一視可能な形状を有する光透過性の第２着色表示層と、
を備え、
前記第２着色表示層は、
前記標識パネルを前方から正面視した場合において、前記第１着色表示層と重なる位置に配置される
ことを特徴とする内部照明式標識装置。
【請求項２】
前記第１着色表示層における光透過量は、前記第２着色表示層における光透過量よりも多い
ことを特徴とする請求項１に記載の内部照明式標識装置。
【請求項３】
前記第２着色表示層の大きさは、前記標識パネルを前記前方から正面視した場合において、前記第１着色表示層の大きさよりも小さい
ことを特徴とする請求項１または請求項２に記載の内部照明式標識装置。
【請求項４】
前記第１着色表示層と前記第２着色表示層との間に配置された層は、着色されない
ことを特徴とする請求項１〜請求項３いずれか１項に記載の内部照明式標識装置。
【請求項５】
前記第１着色表示層と前記第２着色表示層は、同一の色相に着色されている
ことを特徴とする請求項１〜請求項４いずれか１項に記載の内部照明式標識装置。
【発明の詳細な説明】
【技術分野】
【０００１】
本発明は内部照明式標識装置に関し、視認性を向上させる場合に好適なものである。特に、昼間と夜間とで認識される標識の色相を同程度にする場合に好適なものである。
【背景技術】
【０００２】
従来、筺体の開口に標識パネルが設けられ、その標識パネルの後方における筺体の内部に照明部が設けられた内部照明式標識装置が提案されている（例えば、下記特許文献１参照）。
【０００３】
この標識パネルは、情報を表す着色表示層をパネル前面に配置するとともに、この着色表示層の後方に再帰反射層を配置した構造となっている。
【０００４】
このような内部照明式標識装置によれば、昼間においては、筺体外部からの自然光が標識パネルの前面で主に拡散反射することによって着色表示層の情報が視認される。
【０００５】
また、夜間においては、筺体内部の照明部からの光が標識パネルの着色表示層を透過すること、及び、自動車のヘッドライトなどの筺体の外部からの光が再帰反射層で再帰反射して着色表示層を透過することによって、着色表示層の情報が視認される。
【０００６】
さらに、夜間において照明部が壊れるなどして、標識パネルを後方から照射できない非常時では、筺体の外部から標識パネルの着色表示層に入射し再帰反射層で再帰反射する光が着色表示層を透過することによって着色表示層の情報が視認される。
【先行技術文献】
【特許文献】
【０００７】
【特許文献１】国際公開第２００４／００６２１６号
【発明の概要】
【発明が解決しようとする課題】
【０００８】
このような内部照明式標識装置では、夜間において、標識の誘目性を向上させるために、照明部からの光の照度を高めて、光の透過量を増加させている。
【０００９】
ところが、照明部からの光の照度が高くなると、着色表示層の明度が高くなるため、着色表示層部分と着色表示層以外の部分とのコントラスト比が低くなるため、視認性がかえって悪くなったり、着色表示層で表される情報表示部分における夜間の色相が、昼間の色相と異なり、標識としての機能を果たさなかったりする傾向にあることが分かった。
【００１０】
コントラスト比が低くなることを抑制する手法として、標識パネルの着色表示層を厚くすることが考えられる。しかしながら、着色表示層を厚くすると、筺体の外部から入射する光量のうち、着色表示層を透過した後、再帰反射層で再帰反射してさらに着色表示層を透過する光量が低減する。このため、着色表示層部分の再帰反射性能が低下して、夜間において標識パネルを内部から照射できない非常時に標識として機能を果たさないことが分かった。
【００１１】
そこで本発明は、より一段と視認性を向上させ得る内部照明式標識装置を提供することにある。
【課題を解決するための手段】
【００１２】
上記課題を解決するため本発明は、標識パネルと、前記標識パネルの後方から前記標識パネルを照射する照明部と、を備える内部照明式標識装置において、前記標識パネルは、プリズム層と、前記プリズム層の後方側の界面に配置される空気層と、前記プリズム層の前方側に配置されると共に、所定の形状を有する光透過性の第１着色表示層と、前記空気層の後方側に配置されると共に、前記第１着色表示層と同一視可能な形状を有する光透過性の第２着色表示層と、を備え、前記第２着色表示層は、前記標識パネルを前方から正面視した場合において、前記第１着色表示層と重なる位置に配置されることを特徴とする。
【００１３】
このような標識パネルに対して、後方に位置する内部の照明部から光が照射された場合、第２着色表示層および第１着色表示層を透過して標識パネルから出射する光量は、当該着色表示層を透過せずに標識パネルから出射する光量に比べて少なくなる。
このため、標識パネルが第１着色表示層だけしか備えていない場合と比べると、当該着色表示層に表わされる情報表示部分と、当該情報表示部分以外とのコントラスト比が大きくなる。
したがって、夜間に標識パネルを後方（内部）から照射する場合において、第１着色表示層だけしか備えていない場合と比べて、標識の視認性を向上させることができる。
一方、標識パネルの前面から入射した光の大部分は、再帰反射面となるプリズム層と空気層との界面で再帰反射し、その界面を経てさらに後方に進む光は殆どない。つまり、第１着色表示層および第２着色表示層のうち、標識パネルの前面から入射した光が透過する着色表示層は、おおよそ、プリズム層の前方に配置される第１着色表示層だけとなる。
このため、第１着色表示層および第２着色表示層の２つが備えられていても、当該着色表示層で表わされる情報表示部分における再帰反射性能の低下を抑制できる。
したがって、再帰反射性能が低下しないため、夜間に標識パネルを内部から照射ができない非常時に標識として機能を果たすことができる。
このように本発明の標識パネルでは、再帰反射光についてはおおむね第１着色表示層だけに透過させ、内部照明光については第１着色表示層および第２着色表示層の双方を透過させる。これにより、着色表示層部分の再帰反射性能を低下させることなく、夜間に標識パネルを内部から照射する場合の視認性を向上させることができる。こうして、より一段と視認性を向上させ得る内部照明式標識装置が提供される。
【００１４】
また、前記第１着色表示層における光透過量は、前記第２着色表示層における光透過量よりも多いことが好ましい。
【００１５】
このようにした場合、第１着色表示層を透過する光量が低減し難いため、着色表示層部分の再帰反射性能を向上させることができる。そのため、上述した夜間非常時の再帰反射光において、標識の視認性を向上させることができる。
【００１６】
また、前記第２着色表示層の大きさは、前記標識パネルを前記前方から正面視した場合において、前記第１着色表示層の大きさよりも小さいことが好ましい。
【００１７】
このようにした場合、第２着色表示層の大きさが第１着色表示層の大きさ以上である場合に比べて、第２着色表示層で拡散して第１着色表示層を通らずに進む光の量を低減することができる。したがって、内部照明光による標識の視認性をさらに向上させることができる。
【００１８】
また、前記第１着色表示層と前記第２着色表示層との間に配置される層は、着色されていないことが好ましい。
【００１９】
このように第１着色表示層と第２着色表示層との間に配置される層が着色されていない場合、着色された層が配置された場合に比べて、内部照明光によって着色表示層で表わされる情報表示部分の色相と明度を制御しやすくできる。
【００２０】
また、前記第１着色表示層と前記第２着色表示層は、同程度の色相に着色されていることが好ましい。
【００２１】
第１着色表示層と前記第２着色表示層とが同程度の色相に着色されていると、昼間における情報表示部分の色相と、夜間における情報表示部分の色相を略同一にすることができる。したがって、昼間と夜間とで認識される標識の色相を略同一にしたままで、夜間の内部照明光による標識の視認性を向上させることができる。
【発明の効果】
【００２２】
このように本発明によれば、より一段と視認性を向上させ得る内部照明式標識装置を提供することができる。さらに、昼間と夜間とで認識される標識の色相を同一にできる内部照明式標識装置を提供することができる。
【図面の簡単な説明】
【００２３】
【図１】第１実施形態における内部照明式標識装置を示す図である。
【図２】標識パネルの断面の様子を示す図である。
【図３】内部照射の様子を概略的に示す図である。
【図４】再帰反射の様子を概略的に示す図である。
【図５】第２実施形態における標識パネルの断面の様子を示す図である。
【図６】第１着色表示層と第２着色表示層との形状および大きさが異なる場合を例示する図である。
【図７】第１着色表示層と第２着色表示層との形状および大きさが異なる場合を例示する図である。
【発明を実施するための形態】
【００２４】
（１）第１実施形態
本発明に好適となる第１実施形態について図面を用いながら詳細に説明する。
【００２５】
図１は、第１実施形態における内部照明式標識装置１を示す図である。図１に示すように、本実施形態における内部照明式標識装置１は、筺体２、照明部３、導光板４および標識パネル５を主な構成要素として構成される。
【００２６】
筺体２は、照明部３を収容する空間を形成するための部材である。図１では、直方体状の開口を有する箱状の筺体２が示されているが、当該筺体２は例示であり、この例示に限定されるものではない。なお、筺体２は非光透過性であることが好ましい。
【００２７】
照明部３は、例えば白色光などの光を照射する光源であり、筺体２の内部における導光板４の側面に配置される。具体的な照明部３としては、例えば、冷陰極蛍光ランプ(CCFL：Cold Cathode Fluorescent Lamp)などの線光源や、発光ダイオード(LED：Light Emitting Diode)やタングステンランプなどの点光源などが挙げられる。なお、この照明部３の駆動期間は例えば夜間とされる。
【００２８】
導光板４は、側面から入射する光を拡散させ、前面から均一の光を出射する板状の部材であり、筺体２の内部において標識パネル５の背面の後方に配置される。
【００２９】
標識パネル５は、標識パネル５の前面側から入射する光に対して再帰反射性を有し、当該標識パネル５の背面側から入射する光に対して透過性を有する標識パネルである。
【００３０】
図２は、標識パネル５の断面の様子を示す図である。図２に示すように、標識パネル５は、前方側情報表示層１０、再帰反射層２０、補強層３０および後方側情報表示層４０を主な構成要素として備える。
【００３１】
前方側情報表示層１０は、再帰反射層２０の前方側に設けられる層であり、本実施形態では第１着色表示層１１および接着剤層１２によって構成される。
【００３２】
第１着色表示層１１は、文字、記号もしくは図形などの情報を表す所定の形状の着色層であり、光透過性を有する。
【００３３】
第１着色表示層１１の厚みは、特に限定されるものではないが、好ましくは０．５〜１０μｍ、さらに好ましくは１〜５μｍ、さらにより好ましくは、２〜４μｍである。第１着色表示層１１の厚みが０．５μｍ以上である場合、成形性に優れ、且つ色相の調整が容易となるからである。また、第１着色表示層１１の厚みが１０μｍ以下である場合、再帰反射層２０との密着強度を低下させることがないからである。
【００３４】
第１着色表示層１１に用いられるインキには主として樹脂成分及び着色剤が含有される。これらの他に、必要に応じて、可塑剤、消泡剤、レベリング剤、紫外線吸収剤、光安定剤、熱安定剤、架橋剤などの添加剤が１種類あるいは複数種類含有されていても良い。また、粘度調整などのために溶剤が含有されていても良い。
【００３５】
インキの樹脂成分としては、特に限定されるものではないが、メラミン樹脂、エポキシ樹脂、ウレタン樹脂、ビニル樹脂、ポリエステル樹脂、アルキッド樹脂などが好ましい。着色剤に対する分散性、安定性や、溶剤に対する溶解性、耐候性、印刷適性、フィルムとの密着性などが優れているからである。なお、インキの樹脂成分として、１種類の樹脂であっても良く、２種以上組み合わせて共重合した樹脂であっても良い。
【００３６】
インキの着色剤としては、特に限定されるものではないが、色相を明るくすることができるものが良く、蛍光色であっても良い。
【００３７】
接着剤層１２は、第１着色表示層１１と、再帰反射層２０において最も前方側に配置される層との層同士を接着する層であり、光透過性を有する。なお、本実施形態の場合、再帰反射層２０において最も前方側に配置される層は、後述する表面保護層２１である。
【００３８】
この接着剤層１２の具体例としては、感圧型接着剤、感熱型接着剤などが挙げられる。感圧接着剤としては、例えば、ブチルアクリレート、２−エチルヘキシルアクリレート、イソオクチルアクリレート、ノニルアクリレートなどのアクリル酸エステルをアクリル酸あるいは酢酸ビニルなどと共重合して得られるポリアクリル酸エステル粘着剤や、シリコン樹脂系粘着剤、ゴム系粘着剤などがある。感熱型接着剤としては、例えば、アクリル系、ポリエステル系、エポキシ系樹脂などがある。
【００３９】
再帰反射層２０は、表面保護層２１、プリズム層２２、空気層２３、結合剤層２４および支持層２５によって構成される。
【００４０】
表面保護層２１は、標識パネル５において導光板４（図４）と対向される背面側とは逆の前面側を保護する層であり、光透過性を有する。この表面保護層２１の材料としては、光学的透明性や光学的均一性に優れたものが良い。
【００４１】
例えば、ポリカーボネート樹脂、塩化ビニル樹脂、（メタ）アクリル樹脂、エポキシ樹脂、スチレン樹脂、ポリエステル樹脂、フッ素樹脂、ポリエチレン樹脂、オレフィン樹脂、セルロース系樹脂、ウレタン樹脂などが挙げられる。また、耐候性を向上する目的で紫外線吸収剤、光安定剤及び酸化防止剤などが単独であるいは組み合わせて含有されていても良い。また、有機顔料、無機顔料、蛍光顔料、染料、蛍光染料などの着色剤が含有されていても良い。
【００４２】
プリズム層２２は、標識パネル５における前方側から入射する光を空気層２３との界面で再帰反射させる層であり、表面保護層２１の背面に積層される。このプリズム層２２としては、空気層２３との界面で光を再帰反射させるものである限り特に限定されるものではないが、空気層２３との界面が規則性を有する凹凸形状となっていると良い。
【００４３】
特に、三角錐や六角錐などの多面体を最密充填状に配置した多角錐型の再帰反射面となっている場合には、再帰反射特性が優れるので好ましい。なお、このような再帰反射面を有するプリズム層２２はキューブコーナー再帰反射素子と呼ばれ、例えば、特開２００８−７０８９８に示されている。
【００４４】
プリズム層２２の材料としては、光学的透明性や光学的均一性に優れたものが良く、例えば、表面保護層２１と同様のものが挙げられる。
【００４５】
空気層２３は、プリズム層２２との界面での内部全反射条件を満足する臨界角度を大きくするための層であり、プリズム層２２の結合層２４側（背面側）の界面に形成される。
【００４６】
結合剤層２４は、プリズム層２２において表面保護層２１に対向する面とは逆の面の一部と結合し、当該結合部分以外の部位との間に空気層２３を形成する層であり、光透過性を有する。
【００４７】
この結合剤層２４は、空気層２３に水分が侵入するのを防止する封入密封構造とされることが好ましい。空気層２３に侵入した水分に起因して、プリズム層２２と空気層２３との界面での再帰反射性能や標識パネル５の耐久性が劣悪となること抑制できるからである。
【００４８】
なお、このような封入密封構造の形成手法としては、米国特許第３，１９０，１７８号、第４，０２５，１５９号、実開昭５０−２８６６９号公報などに示されている。
【００４９】
結合剤層２４の材料としては、例えば、（メタ）アクリル樹脂、ポリエステル樹脂、アルキッド樹脂、エポキシ樹脂などが挙げられる。
【００５０】
支持層２５は、結合剤層２４をサポートする層であり、光透過性を有する。この支持層２５は、結合剤層２４においてプリズム層２２に対向する前面とは逆の背面に積層される。
【００５１】
なお、支持層２５の一面にわたって結合剤層２４が配置されていても良く、当該一面の一部に結合剤層２４が配置されていても良い。また、本実施形態の場合、支持層２５は、第１着色表示層１１および第２着色表示層４１に着色される色とは異なる色に着色される。なお、支持層２５に着色される色は、第１着色表示層１１および第２着色表示層４１に着色される色との色差が視認できる程度に異なることがより好ましい。また、第１着色表示層１１および第２着色表示層４１に着色される色とは色相環で正反対の位置にある色またはその隣近辺の色、あるいは、当該着色表示層よりも光の吸収が小さい色であることがより好ましい。
【００５２】
支持層２５の材料としては、例えば、表面保護層２１と同様の樹脂、フィルム成形可能である一般的な樹脂、繊維、布、窒化アルミニウムなどの金属や、これらを複合したものが挙げられる。なお、光透過性を有さない材料が用いられる場合、メッシュ状に成形することで光透過性の支持層２５を得るようにしても良い。
【００５３】
補強層３０は、標識パネル５を補強する層であり、光透過性を有する。この補強層３０は、支持層２５において結合剤層２４に対向する面とは逆の面に積層される。補強層３０の材料としては、例えば、アクリル樹脂、塩化ビニル樹脂、スチレン樹脂、カーボネート樹脂、ポリエチレンテレフタレートなどが挙げられる。
【００５４】
後方側情報表示層４０は、再帰反射層２０の後方側に設けられる層であり、本実施形態では第２着色表示層４１および接着剤層４２によって構成される。
【００５５】
第２着色表示層４１は、第１着色表示層１１が表す情報と同程度の情報を表す着色層であり、光透過性を有する。本実施形態の場合、第２着色表示層４１は、第１着色表示層１１の形状および大きさと一致する形状および大きさを有している。
【００５６】
また第２着色表示層４１は、標識パネル５を前方から正面視した場合において、第１着色表示層１１と重なる位置に配置される。
【００５７】
第２着色表示層４１の厚みは、特に限定されるものではないが、好ましくは０．５〜１０μｍ、さらに好ましくは１〜５μｍ、さらにより好ましくは、２〜４μｍである。第１着色表示層１１の厚みが０．５μｍ以上である場合、成形性に優れ、且つ色相の調整が容易となるからである。また、第１着色表示層１１の厚みが１０μｍ以下である場合、再帰反射層２０との密着強度を低下させることがないからである。
【００５８】
第２着色表示層４１に用いられるインキには、第１着色表示層１１と同様に、樹脂成分及び着色剤が主として含有される。これらの他に、必要に応じて、可塑剤、消泡剤、レベリング剤、紫外線吸収剤、光安定剤、熱安定剤、架橋剤などの添加剤が１種類あるいは複数種類含有されていても良い。また、粘度調整などのために溶剤が含有されていても良い。
【００５９】
インキの樹脂成分としては、特に限定されるものではないが、第１着色表示層１１と同様のものが挙げられる。また、インキの着色剤としては、第１着色表示層１１と同じであっても異なっていても良い。本実施形態の場合、第１着色表示層１１と第２着色表示層４１とは、同一の色相に着色されている。
【００６０】
接着剤層４２は、第２着色表示層４１と再帰反射層２０において最も後方側にある層との層同士を接着する光透過性のものである限り特に限定されるものではないが、例えば、感圧型接着剤、感熱型接着剤などがある。なお、本実施形態の場合、再帰反射層２０において最も後方側にある層は支持層２５である。
【００６１】
図３は、内部照射の様子を概略的に示す図である。図３に示すように、照明部３から照射される光は導光板４の側面から入射し、標識パネル５の背面に対向される導光板４の出射面から出射する。
【００６２】
また、導光板４の出射面を出射した光は、標識パネル５の背面から入射し、当該標識パネル５における各層を透過する。
【００６３】
このとき、標識パネル５における後方側情報表示層４０、補強層３０、再帰反射層２０、前方側情報表示層１０を順に経由する光の透過量は、補強層３０、再帰反射層２０だけを経由する光の透過量に比べて少なくなる。
【００６４】
このため、後方側情報表示層４０の第２着色表示層４１および前方側情報表示層１０の第１着色表示層１１に表わされる情報表示部分と、当該情報表示部分以外とのコントラスト比が大きくなる。したがって、夜間の場合などのように筺体２の外部が暗く、標識パネル５を内部から照射する場合であっても標識の視認性が向上されることになる。
【００６５】
図４は、再帰反射の様子を概略的に示す図である。図４に示すように、筺体２の外部から標識パネル５の前面に入射する光は、その標識パネル５における再帰反射層２０の表面保護層２１を透過し、再帰反射層２０のプリズム層２２と空気層２３との界面で再帰反射する。そして、この再帰反射光は、再帰反射層２０および前方側情報表示層１０、あるいは、再帰反射層２０だけを介して標識パネル５の前面から出射する。
【００６６】
このとき、再帰反射層２０における空気層２３を進んで後方側情報表示層４０の後方で反射し、当該後方側情報表示層４０を透過して標識パネル５の前面から出射する光は殆どない。
【００６７】
このため、後方側情報表示層４０の第２着色表示層４１および前方側情報表示層１０の第１着色表示層１１の２つが配置されていても、情報表示部分の再帰反射性能の低下を抑制できる。したがって、再帰反射性能が低下しないため、夜間において内部から照射できない非常時に標識としての機能を果たすことができる。
【００６８】
以上のとおり、本実施形態における標識パネル５は、文字、記号もしくは図形などの情報を表す光透過性の第１着色表示層１１に加えて、その第１着色表示層１１の情報表示と同程度の情報表示を表す光透過性の第２着色表示層４１を備える。
【００６９】
この第２着色表示層４１は、標識パネル５を前方から正面視した場合において、第１着色表示層１１と重なる位置に配置され、第１着色表示層１１が配置されるプリズム層２２の前方側とは逆の後方側に配置される。
【００７０】
このような標識パネル５によれば、上述したように、再帰反射光についてはおおむね第１着色表示層１１だけに透過させ、内部照明光については第１着色表示層１１および第２着色表示層４１の双方を透過させる。これにより、着色表示部層部分の再帰反射性能を低下させることなく、夜間において内部の照明部３により照射する場合の視認性を向上させることができる。
【００７１】
ところで、本実施形態の場合、第１着色表示層１１と第２着色表示層４１とが、同一の色相になるように着色されている。
【００７２】
このため、昼間における標識パネル５の色相と、夜間における標識パネル５の色相を同一にすることができる。したがって、昼間と夜間とで認識される標識の色相を同一にしたままで、夜間の内部照明光による標識の視認性を向上させることができる。
【００７３】
（２）第２実施形態
本発明に好適となる第２実施形態について図面を用いながら詳細に説明する。ただし、第２実施形態における内部照明式標識装置の構成要素のうち第１実施形態と同一又は同等の構成要素については、同一の参照符号を付し、重複する説明は適宜省略する。
【００７４】
図５は、第２実施形態における標識パネルの断面の様子を示す図である。図５に示すように、本実施形態における内部照明式標識装置では、後方側情報表示層４０の配置位置が第１実施形態における標識パネル５と相違する。
【００７５】
すなわち、第１実施形態における標識パネル５では、後方側情報表示層４０が、補強層３０において再帰反射層２０に対向する面とは逆の面に積層されていた。
【００７６】
これに対し、本実施形態における標識パネル５０では、後方側情報表示層４０が、再帰反射層２０の最も後方側に配置される支持層２５において結合剤層２４に対向する面とは逆の面に積層される。
【００７７】
このように後方側情報表示層４０を配置した場合、当該後方側情報表示層４０の第２着色表示層４１が、第１実施形態の場合に比べて第１着色表示層１１に近づくことになる。
【００７８】
したがって、第２着色表示層４１が第１着色表示層１１に近づく分だけ、当該第２着色表示層４１で拡散して第１着色表示層１１を通らずに進む光の量を低減することができる。この結果、着色表示層に表わされる情報表示部分をはっきりと視認させることができる。
【００７９】
また、本実施形態における標識パネル５０では、再帰反射層２０の支持層２５が無着色とされ、補強層３０が第１着色表示層１１および第２着色表示層４１に着色される色とは異なる色に着色される。
【００８０】
このように、第１着色表示層１１と第２着色表示層４１との間に配置される層が着色されないことにより、着色される場合に比べて、内部照明光によって着色表示層に表わされる情報表示部分の色相と明度を制御しやすくできる。
【００８１】
なお、補強層３０に着色される色においては、上記第１実施形態の場合と同様に、第１着色表示層１１および第２着色表示層４１に着色される色との色差が視認できる程度に異なることがより好ましい。また、第１着色表示層１１および第２着色表示層４１に着色される色とは色相環で正反対の位置にある色またはその隣近辺の色、あるいは、当該着色表示層よりも光の吸収が小さい色であることがより好ましい。
【００８２】
（３）他の実施形態
以上、実施形態が一例として説明された。しかしながら本発明は上記実施形態に限定されるものではない。
【００８３】
例えば上記実施形態では、第２着色表示層４１の形状および大きさが第１着色表示層１１の形状および大きさと一致していた。しかしながら、第２着色表示層４１が、標識パネル５を前方から正面視した場合において第１着色表示層１１と重なる位置に配置されていれば、第２着色表示層４１の形状および大きさが第１着色表示層１１の形状および大きさと一致していなくても良い。
例えば、第１着色表示層１１の形状と同一視できる程度の形状を第２着色表示層４１が有している場合、図６に例示するように、第２着色表示層４１に途切れ領域ＡＲが設けられることで、当該第２着色表示層４１が表す標識の一部が途切れていても良い。また、図７に例示するように、第２着色表示層４１の内部または周縁などに孔ＨＬが形成されていても良い。
なお、図６および図７では、標示パネル５を前面側から正面視した場合における第１着色表示層１１および第２着色表示層４１が表す標識として「Ｌ」の文字が例示されているが、当該文字以外の文字であっても良い。また、記号や図形などであっても良く、文字と記号や文字と図形などの組み合わせであっても良い。
別例として、第１着色表示層１１の大きさと同一視できる程度の大きさを第２着色表示層４１が有している場合、第２着色表示層４１の大きさが第１着色表示層１１の大きさよりも大きくなっていても良く、小さくなっていても良い。
ただし、第２着色表示層４１の大きさが第１着色表示層１１の大きさよりも小さい場合、第２着色表示層４１で拡散して第１着色表示層１１を通らずに進む光の量を低減することができる。したがって、着色表示層に表わされる情報表示部分をはっきりと視認させる観点では、第２着色表示層４１の大きさが第１着色表示層１１の大きさよりも小さいほうが好ましい。具体的には図７に例示したように第２着色表示層４１の幅Ｗ２が第１着色表示層１１の幅Ｗ１よりも小さい場合などがある。
要するに、第２着色表示層４１に表わされる情報表示が第１着色表示層１１に表わされる情報表示と同程度であれば良い。
【００８４】
上記実施形態では、標識パネル５を前方から正面視した場合において、第２着色表示層４１が第１着色表示層１１と完全に重なる位置に配置された。
しかしながら、第２着色表示層４１が第１着色表示層１１の一部と重なる位置に配置されていても良い。例えば、第２着色表示層４１と第１着色表示層１１との大きさ及び形状を同程度とし、標識パネル５を前方から正面視した場合において、第２着色表示層４１が、第１着色表示層１１からずれる位置に配置されていても良い。
すなわち、第１着色表示層４１の大きさ（面積）の５０％以上が重なるように配置されていればよい。つまり、標識パネル５を前方から正面視した場合において、第２着色表示層４１が第１着色表示層１１と重なる領域が、当該第１着色表示層１１と重ならない領域よりも大きい状態であれば、第２着色表示層４１が第１着色表示層１１と完全に重なっていなくても良い。
ただし、標識パネル５を前方から正面視した場合において、第２着色表示層４１が第１着色表示層１１と重なる領域が、当該第１着色表示層１１と重ならない領域よりも大きいほど好ましい。
【００８５】
また、上記実施形態では、第１着色表示層１１と第２着色表示層４１は同一の色相に着色されていたが、内部照明光の色温度に合わせて第２着色表示層４１の色相を調整することもできる。たとえば、内部照明光に黄味の強い光源を用いた場合には、第２着色層の色相の黄味を低減して、内部照明光による情報表示部分の色相が過度に黄色にならないように調整することもできる。
すなわち、第１着色表示層１１と第２着色表示層４１が完全に一致した色相で着色されていなくても良い。ただし、第１着色表示層１１と第２着色表示層４１が同程度の色相に着色されていることが好ましい。
【００８６】
また上記実施形態では、第１着色表示層１１の光透過量と、第２着色表示層４１の光透過量との関係について特に述べなかったが、当該第１着色表示層１１の光透過量が第２着色表示層４１の光透過量より多いほうが好ましい。
このような関係とした場合、第１着色表示層１１における光透過量が第２着色表示層４１における光透過量以下とされる場合に比べて、第１着色表示層１１を透過する光量が低減し難いため、着色表示層部分の再帰反射性能を向上させることができる。そのため、上述した夜間非常時における再帰反射光においても、標識の視認性をより向上させることができる。
【００８７】
また上記実施形態では第２着色表示層４１が接着剤層４２によって補強層３０または再帰反射層２０の一面に結合されていた。しかしながら、第２着色表示層４１とその第２着色表示層４１を積層すべき層との表面張力などによって、第２着色表示層４１がその第２着色表示層４１を積層すべき層の一面に結合されていても良い。
このようにした場合、接着剤層１２または４２を省略することができるため、当該接着剤層１２または４２を用いて結合する場合に比べて標識パネルを薄厚化することができる。なお、接着剤層１２または４２を省略する場合、グラビア印刷法やスクリーン印刷法やインキジェット印刷などによって第１着色表示層１１または第２着色表示層４１を形成することができる。
【００８８】
上記実施形態では、表面保護層２１、プリズム層２２、空気層２３、結合剤層２４および支持層２５によって再帰反射層２０が構成された。しかしながら、前面側から入射する光に対して再帰反射性を有し、背面側から入射する光に対して透過性を有する再帰反射層であれば、当該再帰反射層の構成要素は上記実施形態に限定されるものではない。例えば、表面保護層２１を省略したり、上記実施形態における再帰反射層２０を構成する層以外の他の層を加えたりすることが可能である。なお、標識パネル５または５０の補強層３０が省略されていても良い。また、標識パネル５の前面に配置された第１着色表示層１１上には、透明フィルムで覆われていても良い。
【００８９】
上記実施形態では、照明部３から照射される光が導光板４を介して標識パネル５または５０の背面に照射された。しかしながら、標識パネル５または５０の背面に光を照射すれば、導光板４が省略されていても良い。例えば、筺体２の内底面などに複数のＬＥＤを格子状に設けた場合、導光板４がなくても標識パネル５または５０の背面に対して均一に光を照射することができる。
【符号の説明】
【００９０】
１・・・内部照明式標識装置
２・・・筺体
３・・・照明部
４・・・導光板
５，５０・・・標識パネル
１０・・・前方側情報表示層
１１・・・第１着色表示層
１２・・・接着剤層
２０・・・再帰反射層
２１・・・表面保護層
２２・・・プリズム層
２３・・・空気層
２４・・・結合剤層
２５・・・支持層
３０・・・補強層
４０・・・後方側情報表示層
４１・・・第２着色表示層
４２・・・接着剤層
【図１】
2015055797.tif 000003
【図２】
2015055797.tif 000004
【図３】
2015055797.tif 000005
【図４】
2015055797.tif 000006
【図５】
2015055797.tif 000007
【図６】
2015055797.tif 000008
【図７】
2015055797.tif 000009